(57)【特許請求の範囲】
【請求項１】
送信電力を増幅する電力増幅部を備えた送信機であって、前記電力増幅部は、入力信号によりローカル搬送波を直交変調して送信信号の電力を増幅する増幅部を備え、さらに、当該電力増幅部での非線形歪みを補償するため、当該電力増幅部から取り出した出力信号の一部を直交復調器を介して帰還する帰還回路と、当該帰還回路からの出力に基づいてループの位相を制御する移相器とを備えたものにおいて、さらに、送信周波数の変更情報に基づいて前記移相器での位相値を設定する位相値設定手段と共に、温度検出手段からの温度情報により、前記位相値を補正する位相値補正手段とからなる位相補正回路を備えているものであって、
前記位相補正回路における前記位相値設定手段は、入力される前記送信周波数の変更情報に基づき、前記移相器における位相値を出力するための周波数テーブルを備え、
前記位相補正回路における前記位相値補正手段は、前記温度検出手段からの温度情報により温度変化を検出し、当該検出した温度変化に基づいて、前記周波数テーブルから出力された位相値を補正する温度変化検知回路を備えていることを特徴とするデジタル無線機の送信機。
【請求項２】
送信電力を増幅する電力増幅部を備えた送信機であって、前記電力増幅部は、入力信号によりローカル搬送波を直交変調して送信信号の電力を増幅する増幅部を備え、さらに、当該電力増幅部での非線形歪みを補償するため、当該電力増幅部から取り出した出力信号の一部を直交復調器を介して帰還する帰還回路と、当該帰還回路からの出力に基づいてループの位相を制御する移相器とを備えたものにおいて、さらに、送信周波数の変更情報に基づいて前記移相器での位相値を設定する位相値設定手段と共に、温度検出手段からの温度情報により、前記位相値を補正する位相値補正手段とからなる位相補正回路を備えているものであって、
前記位相補正回路における前記位相値設定手段は、入力される前記送信周波数の変更情報に基づき、前記移相器における位相値を算出する周波数／位相近似式算出部を備え、
前記位相補正回路における前記位相値補正手段は、前記温度検出手段からの温度情報により温度変化を検出し、当該検出した温度変化に基づいて、前記周波数／位相近似式算出部から出力された位相値を補正する温度変化検知回路を備えていることを特徴とするデジタル無線機の送信機。
【請求項３】
デジタル無線機において、入力信号によりローカル搬送波を直交変調してその電力を増幅する電力増幅部での非線形歪みを補償するため、当該電力増幅部から取り出した出力信号の一部を直交復調器を介して帰還する帰還回路と、当該帰還回路からの出力に基づいてループの位相を制御する移相器とを備えた自動位相補正回路において、さらに、送信周波数の変更情報に基づいて前記移相器での位相値を設定する位相値設定手段と共に、温度検出手段からの温度情報により、前記位相値を補正する位相値補正手段とを備えた自動位相補正回路であって、
前記位相値設定手段は、入力される前記送信周波数の変更情報に基づき、前記移相器における位相値を出力するための周波数テーブルを備え、
前記位相値補正手段は、前記温度検出手段からの温度情報により温度変化を検出し、当該検出した温度変化に基づいて、前記周波数テーブルから出力された位相値を補正する温度変化検知回路を備えていることを特徴とする自動位相補正回路。
【請求項４】
デジタル無線機において、入力信号によりローカル搬送波を直交変調してその電力を増幅する電力増幅部での非線形歪みを補償するため、当該電力増幅部から取り出した出力信号の一部を直交復調器を介して帰還する帰還回路と、当該帰還回路からの出力に基づいてループの位相を制御する移相器とを備えた自動位相補正回路において、さらに、送信周波数の変更情報に基づいて前記移相器での位相値を設定する位相値設定手段と共に、温度検出手段からの温度情報により、前記位相値を補正する位相値補正手段とを備えた自動位相補正回路であって、
前記位相値設定手段は、入力される前記送信周波数の変更情報に基づき、前記移相器における位相値を算出する周波数／位相近似式算出部を備え、
前記位相値補正手段は、前記温度検出手段からの温度情報により温度変化を検出し、当該検出した温度変化に基づいて、前記周波数／位相近似式算出部から出力された位相値を補正する温度変化検知回路を備えていることを特徴とする自動位相補正回路。
【請求項５】
前記請求項１または２に記載したデジタル無線機の送信機において、前記位相値補正手段は、前記温度検出手段からの出力信号をデジタル信号に変換して前記温度情報を得ることを特徴とするデジタル無線機の送信機。
【請求項６】
前記請求項３または４に記載した自動位相補正回路において、前記位相値補正手段は、前記温度検出手段からの出力信号をデジタル信号に変換して前記温度情報を得ることを特徴とする自動位相補正回路。
【請求項７】
デジタル無線機において、入力信号によりローカル搬送波を直交変調してその電力を増幅する電力増幅部での非線形歪みを補償するため、当該電力増幅部から取り出した出力信号の一部を直交復調器を介して帰還し、当該直交復調器からの出力に基づいてループの位相を移相器により制御する自動位相補正方法において、送信周波数の変更情報に基づいて前記位相値を設定すると共に、周辺温度の温度情報により、前記位相値を補正する自動位相補正方法であって、
前記送信周波数の変更情報に基づき、周波数テーブルから前記位相値を出力し、
前記周辺温度の温度情報により温度変化を検出し、当該検出した温度変化に基づいて、前記周波数テーブルから出力された位相値を補正することを特徴とする自動位相補正方法。
【発明の詳細な説明】
【０００１】
【発明の属する技術分野】
本発明は、移動通信端末を含むデジタル無線機に関し、特に、かかるデジタル無線機の送信機と、更には、かかるデジタル無線機に好適な自動位相補正回路及び自動位相補正方法に関する。
【０００２】
【従来の技術】
近年における通信技術の急速な進歩に伴い、特に、移動通信端末を含むデジタル移動通信においては、例えば、無線機の送信部における電力増幅には線形変調方式が広く採用されており、そのため、移動通信機器の送信部における電力増幅器として、線形増幅器が必要とされている。
【０００３】
そのため、かかる線形増幅器では、増幅器の電力効率とその線形性の両立を図ることが可能な非線形歪み補償技術（リニアライザ）が採用されており、その代表的な補償技術の１つとして、例えば、送信電力増幅器の出力の一部を復調して得た信号を利用して歪み補償を行なう、所謂、カーテシアンループ方式が既に広く知られている。
【０００４】
ところで、かかるカーテシアンループ方式の送信電力増幅器では、その方式は閉ループ制御であることより、ループの安定性が非常に重要である。そのため、ループの位相制御が必要不可欠となる。なお、従来技術を適用した送信機の一例を、添付の図７に示す。
【０００５】
ここで、上記従来技術になるカーテシアンループ方式の送信電力増幅器を備えた送信機の構成について説明する。まず、入力端子１、２よりベースバンドＩ，Ｑ信号を入力する。これらの信号は、送信機内で、それぞれ、加算器３，４を介して、帯域制限回路５，６に与えられ、そこで、所望のループ特性となるような帯域制限がかけられ、その後、直交変調器（ＭＯＤ）７に入力される。この直交変調器７は、ローカル搬送波である発振器１８からの出力を上記入力信号で直交変調してその出力とし、その出力は後段のバンドパスフィルター（ＢＰＦ）８に入力されて帯域外スプリアスが除去されることとなる。この出力は、さらに、ミクサ（mixer）９において、発振器１９からの出力搬送波とミクシング（mixing）されて周波数変換され、さらに、ＢＰＦ１０で帯域外スプリアスが除去された後、電力増幅器１１に入力される。なお、この電力増幅器１１は、入力信号を電力増幅し、その結果、その電力増幅された出力は、カプラ１２を介してアンテナ１３より送信される。
【０００６】
一方、上述した電力増幅器１１の出力信号の一部は、上記カプラ１２により取り出されて、減衰器１４に入力される。その減衰された出力は、ミクサ１５において、上記の発振器１９の出力搬送波とミクシングすることにより周波数変換され、さらに、ＢＰＦ１６を介して、直交復調器（ＤＥＭＯＤ）１７に入力される。この直交復調器１７は、入力信号を上記発振器１８からの出力搬送波でベースバンド信号に直交復調し、その出力（Ｉ，Ｑ信号）は上述した加算器３、４に入力される（閉ループ制御）。なお、この図において、符号２５は、自動位相補正を行うための位相制御回路を、また、符号２０は、位相制御回路２５からの出力により移相量を増減制御するための移相器である。
【０００７】
次に、上記にその構成を説明した従来技術の送信機における自動位相補正方式の動作について、以下に説明する。
【０００８】
まず、この従来技術になる送信機の自動位相補正方式では、位相制御回路２５は、入力ベースバンドＩ，Ｑ信号と共に、上述したように直交復調器（ＤＥＭＯＤ）１７で復調された直交復調器出力べ−スバンドＩ，Ｑ信号を入力している。そして、この位相制御回路２５は、これら入力された両者を比較し、その結果、入力ベースバンドＩ，Ｑ信号に対して直交復調器出力ベースバンド信号の位相が遅れている場合には、移相器２０の移相量を減少させ、他方、進んでいる場合には移相量を増加させるように制御する、位相補正情報を与えることにより、自動位相補正を行なっている。
【０００９】
なお、上述のような送信機の自動位相補正方式は、例えば、特許登録番号第２７４６１３３号に記載されている。
【００１０】
【発明が解決しようとする課題】
以上に述べたように、従来技術の自動位相補正方式は、例えば、送信動作中の筐体内部など、周辺の温度上昇などに起因する、すなわち、ゆっくりとした、比較的長時間にわたる緩慢な経時変化によるループ位相の変動に対して、その出力の位相を追従させる方式である。そこで、上記従来の位相補正方式では、かかる緩慢なループの位相変化に対応するため、上記の位相制御回路２５は、通常、その入力信号（入力ベースバンドＩ，Ｑ信号）をリミタ(limiter)で矩形波に波形整形した後、位相比較を行なうための位相回り判定回路、及び、位相遅れ／進み判定をテーブル化した判定表がデジタル回路によって構成されており、そのため、専用の制御デジタル回路を必要としており、また、これらデジタル回路からの矩形波信号のリークによるスプリアス劣化の問題があった。
【００１１】
さらに、上述した従来技術では、上記の位相制御回路２５として、検出した位相の進み／遅れによって移相量に対応して、そのカウンタをアップ／ダウンすることによって追従する方式を採用している。そのため、例えば、車載機のように、送信周波数を切り替える使用形態で用いられる場合には、その周波数切り替え時に発生する急激な位相変化に対して、すばやく瞬時に追従することができず、特に、送信の開始時において、最悪の場合には、増幅器が発振してしまう可能性も指摘されていた。
【００１２】
そこで、本発明では、上述した従来技術における問題点や状況を鑑みて、すなわち、温度変化だけではなく、送信周波数変化による急激な位相変化にも対応することが可能なデジタル無線機の送信機と、更には、かかるデジタル無線機に好適な自動位相補正回路及び自動位相補正方法を提供することをその目的とするものである。
【００１３】
【課題を解決するための手段】
すなわち、本発明によれば、上記の目的を達成すべく、まず、送信電力を増幅する電力増幅部を備えた送信機であって、前記電力増幅部は、入力信号によりローカル搬送波を直交変調して送信信号の電力を増幅する増幅部を備え、さらに、当該電力増幅部での非線形歪みを補償するため、当該電力増幅部から取り出した出力信号の一部を直交復調器を介して帰還する帰還回路と、当該帰還回路からの出力に基づいてループの位相を制御する移相器とを備えたものにおいて、さらに、送信周波数の変更情報に基づいて前記移相器での位相値を設定する手段と共に、温度検出手段からの温度情報により、前記位相値を補正する手段とからなる位相補正回路を備えているデジタル無線機の送信機が提供される。
【００１４】
また、本発明によれば、前記に記載したデジタル無線機の送信機において、前記位相補正回路における前記位相値設定手段は、入力される前記送信周波数の変更情報に基づき、前記移相器における位相値を出力するための周波数テーブルを備えており、更には、前記位相補正回路における前記位相値補正手段は、前記温度検出手段からの温度情報により温度変化を検出し、当該検出した温度変化に基づいて、前記周波数テーブルから出力された位相値を補正する温度変化検知回路を備えてもよい。
【００１５】
あるいは、本発明によれば、前記位相補正回路における前記位相値設定手段は、入力される前記送信周波数の変更情報に基づき、前記移相器における位相値を算出する周波数／位相近似式算出部を備え、更には、前記位相補正回路における前記位相値補正手段は、前記温度検出手段からの温度情報により温度変化を検出し、当該検出した温度変化に基づいて、前記周波数／位相近似式算出部から出力された位相値を補正する温度変化検知回路を備えてもよい。
【００１６】
また、本発明によれば、やはり上記の目的を達成すべく、デジタル無線機において、入力信号によりローカル搬送波を直交変調してその電力を増幅する電力増幅部での非線形歪みを補償するため、当該電力増幅部から取り出した出力信号の一部を直交復調器を介して帰還する帰還回路と、当該帰還回路からの出力に基づいてループの位相を制御する移相器とを備えた自動位相補正回路において、さらに、送信周波数の変更情報に基づいて前記移相器での位相値を設定する手段と共に、温度検出手段からの温度情報により、前記位相値を補正する手段とを備えた自動位相補正回路が提供される。
【００１７】
なお、本発明によれば、前記位相値設定手段は、入力される前記送信周波数の変更情報に基づき、前記移相器における位相値を出力するための周波数テーブルを備えており、更には、前記位相値補正手段は、前記温度検出手段からの温度情報により温度変化を検出し、当該検出した温度変化に基づいて、前記周波数テーブルから出力された位相値を補正する温度変化検知回路を備えてもよい。
【００１８】
または、本発明によれば、前記に記載した位相補正回路において、前記位相値設定手段は、入力される前記送信周波数の変更情報に基づき、前記移相器における位相値を算出する周波数／位相近似式算出部を備えており、更には、前記位相値補正手段は、前記温度検出手段からの温度情報により温度変化を検出し、当該検出した温度変化に基づいて、前記周波数／位相近似式算出部から出力された位相値を補正する温度変化検知回路を備えていてもよい。
【００１９】
加えて、本発明によれば、前記に記載したデジタル無線機の送信機、又は、自動位相補正回路において、前記位相値補正手段は、前記温度検出手段からの出力信号をデジタル信号に変換して前記温度情報を得るようにしてもよい。
【００２０】
そして、本発明によれば、やはり上記の目的を達成すべく、デジタル無線機において、入力信号によりローカル搬送波を直交変調してその電力を増幅する電力増幅部での非線形歪みを補償するため、当該電力増幅部から取り出した出力信号の一部を直交復調器を介して帰還し、当該直交復調器からの出力に基づいてループの位相を移相器により制御する自動位相補正方法において、送信周波数の変更情報に基づいて前記位相値を設定すると共に、周辺温度の温度変化を検知し、当該検知した温度変化に基づいて前記位相値を補正する自動位相補正方法が提供されている。
【００２１】
このように、本発明では、上記目的を達成するため、温度変化及び送信周波数変化による位相変化に対応するための位相補正回路に基準温度を付加した周波数テーブル又は、周波数／位相近似式算出部を格納し、温度変化が生じた場合のみに、基準温度と温度センサにより監視した温度情報を比較して温度差を算出し、温度変化による位相補正値と、周波数テーブルより読み出した送信周波数における最適位相値を加算して、あるいは温度変化による位相補正値により、周波数／位相近似式算出部で算出した近似式を可変することによりループの最適な位相値を算出し、移相器に与えることにより、自動位相補正を行なう構成としたものである。
【００２２】
【発明の実施の形態】
以下、本発明の実施の形態について、添付の図面を参照しながら説明する。
まず、図１には、本発明の一実施の形態になるデジタル無線機における送信機（送信部）の全体構成が示されている。この図において、入力端子１，２には、やはり、上記従来技術で説明したと同様に、ベ−スバンドＩ，Ｑ信号を入力する。これらの信号は、送信機内で、それぞれ、加算器３，４を介して、帯域制限回路５，６に与えられ、そこで、所望のループ特性となるような帯域制限がかけられ、その後、直交変調器（ＭＯＤ）７に入力される。なお、このこの直交変調器７は、搬送波である発振器１８からの出力（ローカル搬送波）を上記入力信号で直交変調して出力し、その出力は、後段のバンドパスフィルター（ＢＰＦ）８に入力されて帯域外スプリアスが除去されることも、上記従来技術と同様である。そして、この出力は、やはり、ミクサ（mixer）９において、発振器１９からの出力搬送波とミクシング（mixing）されて周波数変換され、さらに、ＢＰＦ１０で帯域外スプリアスが除去された後、電力増幅器１１に入力される。なお、この電力増幅器１１は、入力信号を電力増幅し、その結果、その電力増幅された出力は、カプラ１２を介してアンテナ１３より送信される。
【００２３】
一方、やはり、上述した電力増幅器１１の出力信号の一部は、上記カプラ１２により取り出されて、減衰器１４に入力される。そして、減衰された出力は、ミクサ１５において、上記の発振器１９からの出力搬送波とミクシングすることにより周波数変換され、さらに、ＢＰＦ１６を介して、直交復調器（ＤＥＭＯＤ）１７に入力される。すなわち、ここでも、この直交復調器１７は、入力信号を上記発振器１８からの出力搬送波でベースバンド信号に直交復調し、その出力（Ｉ，Ｑ信号）を上述した加算器３、４に入力している（閉ループ制御）ことは、上記の従来技術と同様である。
【００２４】
なお、この図において、符号２１は、本発明になる自動位相補正を行うための位相制御回路を示しており、また、符号２０は、この位相制御回路２１からの出力により移相量を増減制御するための移相器である。なお、この本発明になる自動位相補正を行うための位相制御回路２１は、図からも明らかなように、上記送信機内に配置された温度センサ２３により検出された信号（周辺の温度情報）と共に、本送信機の外部に設けられた中央演算部（ＣＰＵ）２２（例えば、デジタル無線機全体の制御を行うＣＰＵ）からの制御出力を入力している。また、温度センサ２３は、無線機又は送信機の筐体内に配置されているが、特に、温度変化により位相が変化するデバイス（例えば、高周波フィルタ）の周辺部に設けられることが望ましい。
【００２５】
次に、上記にその構成を述べた送信機における、本発明になる自動位相補正方式について、詳細に説明する。
【００２６】
なお、本発明になる自動位相補正方式は、その概略を示すと、送信周波数の切り替え時には、上記位直交復調器（ＤＥＭＯＤ）１７は、ＣＰＵ２２より受け取った制御情報である周波数情報を基に、上記位相補正回路２１内に格納したループ位相の最適値を読み出し、当該最適値を移相器２０に与えることでループの位相補正を行なうというものである。
【００２７】
なお、かかる本発明になる自動位相補正方式に関する実施の形態について、以下に２つの実施例に基づいて、その内容を詳細に説明することとする。
【００２８】
【実施例１】
まず、本発明における一つ目の実施例として、周波数テーブルを用いた自動位相補正方式について、以下、添付の図２を用いて詳しく説明する。
【００２９】
すなわち、この本発明の実施例１になる位相制御回路２１は、図２からも明らかなように、上記温度センサ２３からの出力（温度情報）をデジタル信号に変換するＡ／Ｄ変換器２４、上記ＣＰＵ２２からの制御信号（送信周波数情報）によってこれに対応する最適な位相値を検索する周波数テーブル１０１、これらＡ／Ｄ変換器と周波数テーブルからの出力によって温度変化を検出するための温度変化検出回路１０２、そして、上記温度変化検出回路からの出力と上記周波数テーブルからの出力とを加算するための加算器１０３とから構成されている。なお、この位相制御回路２１からの出力（位相値：Φ（ｆ，ｔ））は、上記位相器２０へ入力され、これに基づいて移相量が制御されることは、上記した通りである。
【００３０】
また、ここで周波数テーブル１０１とは、以下の表１に示すように、複数の送信周波数に対する最適な位相値を、予め、テーブル（周波数テーブル）化したものであり、さらに、この実施例１では、この周波数テーブルに示した値を測定した時の基準温度（Ｔｒｅｆ）をも、その情報の一部として備えている（例えば、本例では、Ｔｒｅｆ＝２５℃）。
【表１】
0004690608.tif 000002
【００３１】
なお、この周波数テーブル１０１に格納された各送信周波数（ｆ（ＭＨｚ））と位相値（Φ（°））との関係は、添付の図３にも示すように、互いに比例する（リニアな）関係となっている。また、図４に示すように、周辺温度である作動環境の温度（Ｔ）と上記の位相（Φ）との間も、上記同様、比例関係となっている。
【００３２】
次に、上記に詳細な構成を示した実施例１の位相制御回路２１では、例えば、受信エリアの変更などに伴って、上記無線機を制御するＣＰＵ２２から、変更される送信周波数の情報が出力されると、その情報が周波数テーブル１０１に入力される。この送信周波数の変更情報の入力により、周波数テーブル１０１は、この送信周波数の変更情報に対して、その内部に格納された位相値から、ループの最適な位相値（Φ（Ｆ））を呼び出し、この位相値を加算器１０３に入力する。
【００３３】
一方、上記無線機内の温度を検出する温度センサ２３により検出された温度信号は、上記位相制御回路２１内のＡ／Ｄ変換器２４を介してデジタル信号に変換され、温度情報（Ｔ）として温度変化検出回路１０２へ入力される。同時に、この温度変化検出回路１０２へは、上記周波数テーブル１０２から、その基準温度信号（Ｔｒｅｆ：ここでは、Ｔｒｅｆ＝２５℃）が入力されていることから、これら２つの入力の比較により温度変化（Ｔ−Ｔｒｅｆ）を検知する。そして、この温度変化検出回路１０２は、この検知された温度変化（Ｔ−Ｔｒｅｆ）に基づいて、位相値に対する温度補正信号（△Φ（Ｔ−Ｔｒｅｆ））を出力する。
【００３４】
なお、この時、上記図３や図４からも明らかなように、送信周波数（ｆ（ＭＨｚ））と位相値（Φ（°））、及び、温度（Ｔ）と位相値（Φ）は、それぞれ、比例関係となっていることから、所定の送信周波数におけるループの最適な位相値であって、かつ、検出された温度（Ｔ）における最適な位相値の温度補正分（△ΦT＝△Φ（Ｔ−Ｔｒｅｆ））は、例えば、以下の式によって、簡単に求めることが出来る。
△ΦT＝△Φ（Ｔ−Ｔｒｅｆ）
＝ΦA＋（ΦC−ΦA）×（Ｔ−Ｔｒｅｆ（＝２５℃））／５０
なお、ここで、ΦAは、所定の送信周波数における最適な位相値（Φ）の０℃における値であり、ΦCは、この最適な位相値（Φ）の５０℃における値である。
【００３５】
その後、上記のように求められた最適な位相値の温度補正分（△ΦT＝△Φ（Ｔ−Ｔｒｅｆ））は、既に上記周波数テーブル１０１で検索された最適な位相値（Φ（ｆ））が一方の入力端に入力されている加算器１０３の他の入力端に入力され、そこで加算され、その加算出力を移相器２０に対して最適位相値（Φ（ｆ，Ｔ））として与える。
【００３６】
すなわち、上記の説明からも明らかなように、上記実施例１の位相制御回路２１によれば、温度（Ｔ）と位相値（Φ）とが比例関係であることを利用し、すなわち、上記の温度センサ２３からの温度情報（Ｔ）を入力して周波数テーブル１０２に備えた基準温度（例えばＴｒｅｆ＝２５℃）と比較して、その温度変化（Ｔ−Ｔｒｅｆ）を求め、そして、この得られた温度変化（Ｔ−Ｔｒｅｆ）に基づく位相値の変化分（△ΦT＝△Φ（Ｔ−Ｔｒｅｆ））を求め、もって、補正を行なうものである。
【００３７】
続いて、以上にその詳細を述べた位相制御回路２１を備えた送信機では、本発明の自動位相補正方式により、すなわち上記の図１にも示すように、送信機の内部（具体的には、例えば、高周波フィルタの周辺部）に設置した温度センサ２３により、ループの最適な位相値に変化をもたらす温度を、常時、監視し、その位相遅れ／進みを補正することから、送信機の送信動作中において、その筐体内部の温度上昇などに起因する比較的長時間にわたる緩慢な経時変化によるループ位相の変動に対しても、その出力の位相を、常に、最適に追従させることが可能となる。
【００３８】
また、一方、この位相制御回路２１は、受信エリアの変更などに伴い、送信機を制御するＣＰＵ２２からの送信周波数の変更出力により、それに対応した最適な位相値を検索して出力する、上記周波数テーブル１０１を備えていることから、かかる急激な位相変化に対しても、すばやく瞬時に追従することが可能であり、これにより、従来のように増幅器が発振してしまう可能性からも開放される。
【００３９】
加えて、この位相制御回路２１は、送信機内に設けられた温度センサ２３に加え、上述したように、Ａ／Ｄ変換器２４、周波数テーブル１０１、温度変化検出回路１０２、そして、加算器１０３など、一般に広く使用されている回路部品を用いて構成されている。すなわち、この位相制御回路２１は、上記した従来技術のように専用の制御デジタル回路を必要とすることなく、また、これらデジタル回路からの矩形波信号のリークによるスプリアス劣化の問題からも開放される。このように、温度変化による緩慢な位相の変化だけではなく、送信周波数変化による急激な位相変化にも対応可能な位相補正方式が得られることとなる。
【００４０】
【実施例２】
次に、本発明の二つ目の実施例として、周波数／位相近似式算出部を用いた自動位相補正方式について、添付の図５を用いて詳しく説明する。なお、初めに、この実施例２で使用される周波数／位相近似式算出部１０４とは、上記の図３にも示すように、あるＮ個（本例では、例えば、３つ）の送信周波数（ｆL、ｆC、ｆU）に対する最適な位相値（Φ1、Φ2、Φ3）より、近似式により任意の送信周波数に対して最適な位相値を算出する機能と共に、さらには、その時の温度情報（上記の図３に示す送信周波数−位相値の関係が成立する時の温度であり、例えばＴｒｅｆ＝２５℃）を備えている。
【００４１】
なお、この実施例２に示す位相制御回路２１’は、図からも明らかなように、やはり、上記温度センサ２３からの出力（温度情報）をデジタル信号に変換するＡ／Ｄ変換器２４と共に、このＡ／Ｄ変換器の出力（Ｔ）と上記周波数／位相近似式算出部１０４からの温度情報（Ｔｒｅｆ）とによって温度変化を検出する温度変化検出回路１０２と、そして、上述した周波数／位相近似式算出部１０４とを備えている。また、上記温度変化検出回路１０２からの出力（ΔΦ（Ｔ−Ｔｒｅｆ））は、上記周波数／位相近似式算出部１０４へ入力されると共に、この周波数／位相近似式算出部１０４の出力（即ち、送信周波数と温度変化により補正された最適な位相値：Φ（ｆ，Ｔ））は、上記の位相器２０へ入力されている。
【００４２】
次に、上記した実施例２になる位相制御回路２１’では、例えば、受信エリアの変更などに伴って、上記無線機を制御するＣＰＵ２２から変更される送信周波数の情報が出力されると、その情報は、上記の周波数／位相近似式算出部１０４に入力される。これにより、上記周波数／位相近似式算出部１０４は、変更された送信周波数に対して、ループの位相が最適となる位相値を近似式より算出し、当該算出した位相値を出力して、上記移相器２０への入力とする。
【００４３】
一方、上記無線機内の温度を検出する温度センサ２３により検出された温度信号も、上記にも説明した実施例１におけると同様に、上記Ａ／Ｄ変換器２４を介してデジタル信号に変換され、温度情報（Ｔ）として温度変化検出回路１０２へ入力される。この時、上記の図４にも示すように、温度（Ｔ）と位相（Φ）とは比例関係であることから、この温度変化検出回路１０２は、温度情報（Ｔ）を入力し、かつ、この温度情報（Ｔ）を上記周波数／位相近似式算出部１０４が備える基準温度（Ｔｒｅｆ＝２５℃）と比較することにより、温度変化（Ｔ−Ｔｒｅｆ）を検知し、もって、温度変化による位相変化分（△Φ）の補正を行なう。すなわち、温度補正信号（△Φ（Ｔ−Ｔｒｅｆ））を上記周波数／位相近似式算出部１０４へ出力する。そこで、周波数／位相近似式算出部１０４は、この温度補正信号（△Φ（Ｔ−Ｔｒｅｆ））により、送信周波数の変更に対してループの位相が最適となるように近似式により算出された位相値を補正し、もって、送信周波数と温度変化により補正された最適な位相値Φ（ｆ，Ｔ）を、上記移相器２０へ出力することとなる。
【００４４】
以上に述べたように、この実施例２においても、上記の実施例１と同様、デバイス周辺部に設置した温度センサ２３により常時監視し、この温度センサ２３による読み取り値を、Ａ／Ｄ変換器２４へ入力する。このＡ／Ｄ変換器２４は、当該読取り値をデジタル変換してその出力を温度情報（Ｔ）とし、温度変化検知回路１０２へ入力する。
【００４５】
一方、上記の温度変化検知回路１０２は、この入力した温度情報（Ｔ）を、予め周波数／位相近似式算出部１０４が備えている基準温度Ｔｒｅｆと比較して、温度差が生じたが否かを判定する。そして、これらの間に温度差が生じた場合には、この温度変化検知回路１０２は、かかる温度差にもかかわらずループの位相を最適位相値に設定するための補正分、所謂、位相補正値（ΔΦ（Ｔ−Ｔｒｅｆ））を算出し、これを周波数／位相近似式算出部１０４へ出力する。
【００４６】
なお、この位相補正値（ΔΦ（Ｔ−Ｔｒｅｆ））の算出は、例えば、温度センサによる読み取り値（Ｔ）が、上記周波数／位相近似式算出部１０４の備える基準温度（例えば、Ｔｒｅｆ＝２５℃）と比較して大きい場合、送信周波数の変化に基づいて算出された最適位相値（Φ（ｆ））によって移相量を減少させ、これとは反対に、小さい場合にはこの移相量を増加させるように、上記移相器２０での位相補正値を制御する。なお、この位相補正値（ΔΦ（Ｔ−Ｔｒｅｆ））の算出には、例えば、上記実施例１において示した近似式などを利用することができる。
【００４７】
このように、上記周波数／位相近似式算出部１０４は、例えば、添付の図８に示すように、上記の温度変化検知回路１０２より入力された位相補正値（ΔΦ（Ｔ−Ｔｒｅｆ））に基づいて、予め当該周波数／位相近似式算出部１０４が送信周波数の変更に対して算出した近似値（Φ（ｆ））を変更し、送信周波数と温度の変化により補正された最適な位相値Φ（ｆ，Ｔ）を上記移相器２０へ出力することとなる。
【００４８】
以上のように、本発明の送信機の自動位相補正方式を備えた送信機において、各送信周波数に対応する最適位相値を格納した周波数テーブル又は、周波数／位相近似式算出部に基準温度を備えることにより、温度変化による位相変化に対応するための専用制御回路を不要としたことによるスプリアスの劣化原因の解消、さらに温度変化検知回路と温度センサにより、上記周波数テーブル又は上記近似式算出部が備えた基準温度と温度センサによる読み取り値を比較することにより、温度変化に対しても、常時ループの安定性を保持して、送信機の発振を防止することとなる。
【００４９】
【発明の効果】
以上の詳細な説明からも明らかなように、本発明になるデジタル無線機の送信機、更には、かかるデジタル無線機に好適な自動位相補正回路及び自動位相補正方法によれば、スプリアスの劣化原因を解消すると共に、周辺温度の変化だけではなく、その送信周波数変化による急激な位相変化にも最適に対応することが可能であることにより、安定で優れた特性のデジタル無線機を提供することが可能となる。
【００５０】
また、上記デジタル無線機の送信機、更には、かかるデジタル無線機に好適な自動位相補正回路によれば、その構成からも、専用制御回路を不要としたデジタル無線機を提供することが出来る。
【図面の簡単な説明】
【図１】本発明の一実施の形態になるデジタル無線機における送信機（送信部）の全体構成を示す回路ブロック図である。
【図２】上記本発明のデジタル無線機の送信機における位相補正回路について、その一の実施例（実施例１）を示す回路ブロック図である。
【図３】上記図２に示した周波数テーブルの送信周波数−位相値特性を示す図である。
【図４】上記図２に示した実施例１の位相補正回路における温度補正値の算出方法を説明する図である。
【図５】上記本発明のデジタル無線機の送信機における位相補正回路について、その二の実施例（実施例２）を示す回路ブロック図である。
【図６】上記図５に示した実施例２の位相補正回路における温度／位相補正値の算出方法を説明する図である。
【図７】従来技術になるデジタル無線機における無線部の構成例を示す回路ブロック図である。
【符号の説明】
１，２          入力端子
３，４          加算器
５，６          帯域制限回路
７              直交変調器
８，１０，１６  ＢＰＦ
９，１５        ミクサ
１１            電力増幅器
１２            カプラ
１３            アンテナ
１４            減衰器
１７            直交復調器
１８，１９      発振器
２０            移相器
２１            位相補正回路
２２            ＣＰＵ
２３            温度センサ
２４            Ａ／Ｄ変換器
２５            位相制御回路
１０１          周波数テーブル
１０２          温度変化検知回路
１０３          加算器
１０４          周波数／位相近似式算出部
【図１】
0004690608.tif 000003
【図２】
0004690608.tif 000004
【図３】
0004690608.tif 000005
【図４】
0004690608.tif 000006
【図５】
0004690608.tif 000007
【図６】
0004690608.tif 000008
【図７】
0004690608.tif 000009